(57)【要約】【課題】本発明は、電池の残量をリアルタイムに表示できるノート型パソコンを提供する。【解決手段】本発明に係るノート型パソコンは、コンピュータベース、コンピュータベースに枢着されたカバー及びカバーに取り付けられる電池モジュールを備える。カバー内には、システム管理データピンが設けられ、電池モジュールは電池残量計算チップ及び第一電池を備え、電池残量計算チップは第一残量検出ピン及びデータ信号出力ピンを備え、第一電池のアノードは第一残量検出ピンに接続され、第一電池のカソードは接地され、データ信号出力ピンはシステム管理データピンに接続され、電池残量計算チップは第一残量検出ピンによって第一電池の残量情報を検出し、電池残量計算チップは、残量情報に応じて第一電池の残量を算出し且つデータ信号出力ピンによって第一電池の残量をコンピュータベースに送信し、コンピュータベースは第一電池の残量を電池モジュールに表示する。【選択図】図３
2015036987.tif 000002
【特許請求の範囲】
【請求項１】
コンピュータベースと、前記コンピュータベースに回転自在に枢着されたカバーと、前記カバーの一側に取り付けられた電池モジュールと、を備える電池の残量を表示できるノート型パソコンにおいて、
前記カバー内には、システム管理データピンが設けられ、前記電池モジュールは、電池残量計算チップ及び第一電池を備え、前記電池残量計算チップは、第一残量検出ピン及びデータ信号出力ピンを備え、前記第一電池のアノードは、第一残量検出ピンに接続され、前記第一電池のカソードは、接地され、前記データ信号出力ピンは、前記システム管理データピンに接続され、前記電池残量計算チップは、前記第一残量検出ピンによって前記第一電池の残量情報を検出し、前記電池残量計算チップは、検出された残量情報に応じて前記第一電池の残量を算出し、且つ前記データ信号出力ピンによって前記第一電池の残量を前記コンピュータベースに送信し、前記コンピュータベースは、前記第一電池の残量を前記電池モジュールに表示することを特徴とする電池の残量を表示できるノート型パソコン。
【請求項２】
前記カバー内には、さらにシステム管理クロックピンが設けられ、前記電池残量計算チップは、さらにクロック信号出力ピンを備え、前記クロック信号出力ピンは、前記システム管理クロックピンに接続されることを特徴とする請求項１に記載の電池の残量を表示できるノート型パソコン。
【請求項３】
前記カバーの一側には、スロットが設けられており、前記電池モジュールは、前記スロット内に挿入され、カバーに電気的に接続されることを特徴とする請求項１又は２に記載の電池の残量を表示できるノート型パソコン。
【請求項４】
前記カバー内には、さらに温度検出ピンが設けられ、前記電池モジュールは、さらに温度感知ユニットを備え、前記温度検出ピンは、温度感知ユニットに接続され、前記温度感知ユニットは、前記第一電池に隣接して配置され、前記第一電池の近傍の温度を検出した後、前記温度検出ピンを介して前記第一電池の温度を前記コンピュータベースに送信し、前記コンピュータベースは、前記第一電池の温度を前記電池モジュールに表示させることを特徴とする請求項１〜３のいずれか１項に記載の電池の残量を表示できるノート型パソコン。
【請求項５】
前記電池モジュールは、さらに第二電池を備え、前記電池残量計算チップは、さらに第二残量検出ピンを備え、前記第一電池のカソードは、それぞれ前記第二残量検出ピン及び前記第二電池のアノードに接続され、前記第二電池のカソードは、接地され、前記カバー内には、さらに電池アノードピン及び第一接地ピンが設けられ、前記電池残量計算チップは、さらに第二接地ピンを備え、前記第一電池のアノードは、電池アノードピンに接続され、前記第二電池のソードは、第一接地ピン及び第二接地ピンに接続され、前記温度検出ピンは、前記第一接地ピンに接続されることを特徴とする請求項４に記載の電池の残量を表示できるノート型パソコン。
【請求項６】
前記電池モジュールは、液晶ディスプレイパネルを備え、前記電池モジュールは、前記液晶ディスプレイパネルによって前記第一電池と前記第二電池の残量及び温度を表示することを特徴とする請求項５に記載の電池の残量を表示できるノート型パソコン。
【発明の詳細な説明】
【技術分野】
【０００１】
本発明は、電池の残量を表示できるノート型パソコンに関するものである。
【背景技術】
【０００２】
従来のノート型パソコンの電池は、一般的には、ノート型パソコンの底部に取り付けられている。しかし、従来のノート型パソコンは、シャットダウンした場合、電池残量を表示することができない。
【発明の概要】
【発明が解決しようとする課題】
【０００３】
前記課題を解決するために、本発明は、電池の残量をリアルタイムに表示できるノート型パソコンを提供する。
【課題を解決するための手段】
【０００４】
本発明に係る電池の残量を表示できるノート型パソコンは、コンピュータベースと、コンピュータベースに回転自在に枢着されたカバーと、カバーの一側に取り付けられた電池モジュールと、を備える。カバー内には、システム管理データピンが設けられ、電池モジュールは、電池残量計算チップ及び第一電池を備え、電池残量計算チップは、第一残量検出ピン及びデータ信号出力ピンを備え、第一電池のアノードは、第一残量検出ピンに接続され、第一電池のカソードは、接地され、データ信号出力ピンは、システム管理データピンに接続され、電池残量計算チップは、第一残量検出ピンによって第一電池の残量情報を検出し、電池残量計算チップは、検出された残量情報に応じて第一電池の残量を算出し、且つ、データ信号出力ピンによって第一電池の残量を前記コンピュータベースに送信し、コンピュータベースは、第一電池の残量を電池モジュールに表示する。
【発明の効果】
【０００５】
従来の技術と比べて、本発明に係るノート型パソコンは、電池残量計算チップが、第一残量検出ピンによって第一電池の残量情報を検出し、且つ検出された残量情報に応じて前記第一電池の残量を算出し、さらに、データ信号出力ピンによって第一電池の残量をコンピュータベースに送信し、コンピュータベースは、第一電池の残量を電池モジュールに表示する。これにより、電池モジュールによって電池の残量をリアルタイムに表示できる。
【図面の簡単な説明】
【０００６】
【図１】本発明の実施形態に係るノート型パソコンの分解斜視図である。
【図２】図１に示したノート型パソコンの組立斜視図である。
【図３】図１及び図２に示したノート型パソコンの電池モジュールの回路図である。
【発明を実施するための形態】
【０００７】
以下、図面を参照して、本発明の実施形態について説明する。
【０００８】
図１及び図２を参照すると、本発明の実施形態に係る電池の残量を表示できるノート型パソコンは、コンピュータベース１０と、コンピュータベース１０に回転自在に枢着されたカバー２０と、カバー２０の一側に取り付けられる電池モジュール３０と、を備える。カバー２０の一側には、スロット２１が設けられており、電池モジュール３０は、このスロット２１内に挿入されて、カバー２０に電気的に接続される。
【０００９】
図３を参照すると、スロット２１内には、電池アノードピン２１１、温度検出ピン２１２、システム管理データピン２１３、システム管理クロックピン２１４及び第一接地ピン２１５が設置されている。
【００１０】
電池モジュール３０は、電池残量計算チップ３１、温度感知ユニット３２、第一電池３３及び第二電池３４を備える。電池残量計算チップ３１は、第一残量検出ピン３１１、第二残量検出ピン３１２、データ信号出力ピン３１３、クロック信号出力ピン３１４及び第二接地ピン３１５を備える。第一電池３３のアノードは、電池アノードピン２１１及び第一残量検出ピン３１１に接続され、第一電池３３のカソードは、第二残量検出ピン３１２及び第二電池３４のアノードに接続される。第二電池３４のカソードは、第一接地ピン２１５及び第二接地ピン３１５に接続され、データ信号出力ピン３１３は、システム管理データピン２１３に接続される。クロック信号出力ピン３１４は、システム管理クロックピン２１４に接続される。温度検出ピン２１２は、温度感知ユニット３２及び第一接地ピン２１５に接続される。本実施形態において、電池モジュール３０は、液晶ディスプレイパネル（図示せず）を含む。電池残量計算チップ３１、温度感知ユニット３２、第一電池３３、第二電池３４及びスロット２１内の各ピンは、複数のシステム管理バスによって互いに接続されている。温度感知ユニット３２は、第一電池３３及び第二電池３４に隣接して配置される。
【００１１】
使用する際、電池残量計算チップ３１は、第一残量検出ピン３１１及び第二残量検出ピン３１２によって、第一電池３３及び第二電池３４の電池の残量情報を検出する。電池残量計算チップ３１は、検出された残量情報に応じて第一電池３３及び第二電池３４の残量を算出する。電池残量計算チップ３１は、データ信号出力ピン３１３及びクロック信号出力ピン３１４によって第一電池３３及び第二電池３４の残量をコンピュータベース１０に送信する。同時に、温度感知ユニット３２は、第一電池３３及び第二電池３４の近傍の温度を検出し、且つ温度検出ピン２１２を介して第一電池３３及び第二電池３４の温度をコンピュータベース１０に送信する。コンピュータベース１０は、第一電池３３と第二電池３４との残量及び温度を電池モジュール３０の液晶ディスプレイパネルに表示させる。また、電池モジュール３０は、この液晶ディスプレイパネルによって、第一電池３３と第二電池３４の残量及び温度を表示するだけでなく、カバー２０の拡充ディスプレイとして映像を表示することもできる。
【符号の説明】
【００１２】
１０  コンピュータベース
２０  カバー
２１  スロット
２１１  電池アノードピン
２１２  温度検出ピン
２１３  システム管理データピン
２１４  システム管理クロックピン
２１５  第一接地ピン
３０  電池モジュール
３１  電池残量計算チップ
３２  温度感知ユニット
３３  第一電池
３４  第二電池
３１１  第一残量検出ピン
３１２  第二残量検出ピン
３１３  データ信号出力ピン
３１４  クロック信号出力ピン
３１５  第二接地ピン
【図１】
2015036987.tif 000003
【図２】
2015036987.tif 000004
【図３】
2015036987.tif 000005